【手続補正書】
【提出日】平成27年7月16日(2015.7.16)
【手続補正１】
【補正対象書類名】特許請求の範囲
【補正対象項目名】全文
【補正方法】変更
【補正の内容】
【特許請求の範囲】
【請求項１】
網膜の異なる位置で複数の断層画像を取得する画像取得手段と、
前記取得された複数の断層画像各々において前記網膜に含まれる層を検出する網膜層検出手段と、
前記検出された層における複数の位置で垂直な方向を演算する垂直方向演算手段と、
前記複数の位置で前記演算された方向における前記検出された層の厚さを計測する層厚計測手段と、
前記複数の位置の前記計測された厚さに基づいて、層厚マップを作成するマップ作成手段と、
を有することを特徴とする画像処理装置。
【請求項２】
前記マップ作成手段は、前記網膜の水平方向の面の各位置に対応する前記複数の位置の前記計測された厚さに基づいて、前記層厚マップを作成することを特徴とする請求項１に記載の画像処理装置。
【請求項３】
前記マップ作成手段は、前記複数の位置の前記厚さに基づいて、前記水平方向の面における前記各位置以外の位置に対応する前記検出された層の厚さを補間することにより、前記層厚マップを作成することを特徴とする請求項２に記載の画像処理装置。
【請求項４】
前記画像取得手段は、前記網膜上の任意の点を中心として角度を変えながら断層画像を撮影するラディアル・スキャンにより前記複数の断層画像を取得し、
前記層厚計測手段は、前記任意の点を中心とする同心円と前記ラディアル・スキャンにおけるスキャン方向との複数の交点での層厚を用いて、前記同心円上の他の位置の層厚を求めることを特徴とする請求項１乃至３のいずれか１項に記載の画像処理装置。
【請求項５】
網膜の断層画像において前記網膜に含まれる層を検出する網膜層検出手段と、
前記検出された層における複数の位置で垂直な方向を演算する垂直方向演算手段と、
前記複数の位置で前記演算された方向における前記検出された層の厚さを計測する層厚計測手段と、
を有することを特徴とする画像処理装置。
【請求項６】
前記垂直方向演算手段は、前記断層画像が表示手段に表示される際の縦横の解像度を同じにした場合の断層画像の前記検出された層に対して、前記複数の位置で前記垂直な方向を演算することを特徴とする請求項１乃至５のいずれか１項に記載の画像処理装置。
【請求項７】
網膜の断層画像から前記網膜の網膜層境界を特定する網膜層検出手段と、
特定された前記網膜層境界に対して垂直な方向の解像度と前記網膜層境界に対して平行の方向の解像度とが等しくされた所定断層画像における前記網膜層境界に対して前記垂直な方向を演算する垂直方向演算手段と、
前記所定断層画像における前記垂直な方向の実所定長さを測定し、前記断層画像における演算された前記垂直な方向の画像上の表示所定長さと、前記実所定長さと、の相関を求める手段と、
前記表示所定長さと前記実所定長さとの相関を反映させた断層画像を作成する処理手段と、
を有することを特徴とする画像処理装置。
【請求項８】
網膜の異なる位置で複数の断層画像を取得する画像取得工程と、
前記取得された複数の断層画像各々において前記網膜に含まれる層を検出する網膜層検出工程と、
前記検出された層における複数の位置で垂直な方向を演算する垂直方向演算工程と、
前記複数の位置で前記演算された方向における前記検出された層の厚さを計測する層厚計測工程と、
前記複数の位置の前記計測された厚さに基づいて、層厚マップを作成するマップ作成工程と、
を有することを特徴とする画像処理方法。
【請求項９】
前記マップ作成工程では、前記網膜の水平方向の面の各位置に対応する前記複数の位置の前記計測された厚さに基づいて、前記層厚マップを作成することを特徴とする請求項８に記載の画像処理方法。
【請求項１０】
前記マップ作成工程では、前記複数の位置の前記厚さに基づいて、前記水平方向の面における前記各位置以外の位置に対応する前記検出された層の厚さを補間することにより、前記層厚マップを作成することを特徴とする請求項９に記載の画像処理方法。
【請求項１１】
前記画像取得工程では、前記網膜上の任意の点を中心として角度を変えながら断層画像を撮影するラディアル・スキャンにより前記複数の断層画像を取得し、
前記層厚計測工程では、前記任意の点を中心とする同心円と前記ラディアル・スキャンにおけるスキャン方向との複数の交点での層厚を用いて、前記同心円上の他の位置の層厚を求めることを特徴とする請求項６乃至１０のいずれか１項に記載の画像処理方法。
【請求項１２】
網膜の断層画像において前記網膜に含まれる層を検出する網膜層検出工程と、
前記検出された層における複数の位置で垂直な方向を演算する垂直方向演算工程と、
前記複数の位置で前記演算された方向における前記検出された層の厚さを計測する層厚計測工程と、
を有することを特徴とする画像処理方法。
【請求項１３】
前記垂直方向演算工程では、前記断層画像が表示手段に表示される際の縦横の解像度を同じにした場合の断層画像の前記検出された層に対して、前記複数の位置で垂直な方向を演算することを特徴とする請求項８乃至１２のいずれか１項に記載の画像処理方法。
【請求項１４】
網膜の断層画像において前記網膜に含まれる層を検出する網膜層検出工程と、
前記検出された層における複数の位置で垂直な方向を演算する垂直方向演算工程と、
前記複数の位置で演算された方向における前記検出された層の厚さを計測する層厚計測工程と、を有することを特徴とする画像処理方法。
【請求項１５】
網膜の断層画像から前記網膜の網膜層境界を特定する網膜層検出工程と、
特定された前記網膜層境界に対して垂直な方向の解像度と前記網膜層境界に対して平行の方向の解像度とが等しくされた所定断層画像における前記網膜層境界に対して前記垂直な方向を演算する垂直方向演算工程と、
前記所定断層画像における前記垂直な方向の実所定長さを測定し、前記断層画像における演算された前記垂直な方向の画像上の表示所定長さと、前記実所定長さと、の相関を求める工程と、
前記表示所定長さと前記実所定長さとの相関を反映させた断層画像を作成する処理工程と、
を有することを特徴とする画像処理方法。
【請求項１６】
請求項８乃至１５に記載の画像処理方法の各工程をコンピュータに実行させるためのプログラム。
【手続補正２】
【補正対象書類名】明細書
【補正対象項目名】０００７
【補正方法】変更
【補正の内容】
【０００７】
本発明は上記課題を解決するためになされたものであり、
網膜の異なる位置で複数の断層画像を取得する画像取得手段と、
前記取得された複数の断層画像各々において前記網膜に含まれる層を検出する網膜層検出手段と、
前記検出された層における複数の位置で垂直な方向を演算する垂直方向演算手段と、
前記複数の位置で前記演算された方向における前記検出された層の厚さを計測する層厚計測手段と、
前記複数の位置の前記計測された厚さに基づいて、層厚マップを作成するマップ作成手段と、
を有することを特徴とする。
【手続補正３】
【補正対象書類名】明細書
【補正対象項目名】００２９
【補正方法】変更
【補正の内容】
【００２９】
ステップＳ２２０〜Ｓ２４０によって、１２枚のラディアル・スキャン上で、層厚の算出値が取得されている。ここでは、１０ピクセルおきにコントロールポイントが設定されていて、各コントロールポイント上に層厚の値が得られているとする。図６（ａ）において、Ａ１、Ｂ１はスキャン１上のコントロールポイント、Ａ２，Ｂ２はスキャン２上のコントロールポイントとする。Ａ１とＡ２はラディアル・スキャンの中心を中心とした同心円上に配置されるから、Ａ１とＡ２における層厚の値をもとにして、Ａ１とＡ２を結ぶ同心円上の辺Ａ１Ａ２上の層厚値を補間する。ここで補間の方法としては様々な方法が考えられる。Ａ１とＡ２からの距離に応じた線形補間や、Ａ１とＡ２・・・Ａ１２を考慮したスプライン補間などが考えられる。このようにして、同心円上に値を補間することにより、２次元の層厚マップを作成する。図６（ｂ）に作成した層厚マップの模式図を示す。
【手続補正４】
【補正対象書類名】明細書
【補正対象項目名】００４６
【補正方法】変更
【補正の内容】
【００４６】
カーソル位置がコントロールポイントに一致しない場合には、ステップＳ８５０において取得したカーソル位置を含む領域Ｒｍに対して、ＡｍとＡｍ＋１の値より補間した値を算出する。補間の手法は複数の方法が考えられるが、ここでは線形補間の場合を例として説明する。但し補間の方法が線形補間に限定されるものではない。